(57)【要約】      （修正有）【課題】次の串ものを盛る際に邪魔になることなく、食材を外した串を保持することができる盛り皿を提供する。【解決手段】食材を串に刺してなる串ものを載置するための盛り皿１である。この盛り皿は、串ものを載置する平坦な載置部１１を有する本体１０と、載置部の表面であって本体の縁側に立設され、そこに投入された串を保持する筒状の保持部２０と、本体の裏面であって、少なくとも保持部に対応する位置とは異なる位置に、本体を担持すべく設けられた脚部３０とを備えている。そして、盛り皿が配置される配置面から載置部までの高さ寸法は、載置部から保持部の上縁までの高さ寸法以上になしてある。【選択図】図１
0003234866.tif 000002
【実用新案登録請求の範囲】
【請求項１】
食材を串に刺してなる串ものを載置するための盛り皿であって、
前記串ものを載置する平坦な載置部を有する本体と、
前記載置部の表面であって本体の縁側に立設され、そこに投入された串を保持する筒状の保持部と、
前記本体の裏面であって、少なくとも保持部に対応する位置とは異なる位置に、前記本体を担持すべく設けられた１又は複数の脚部と
を備え、
盛り皿が配置される配置面から前記載置部までの高さ寸法は、前記載置部から保持部の上縁までの高さ寸法以上になしてある
ことを特徴とする盛り皿。
【請求項２】
当該盛り皿を他の盛り皿上に重畳させたときに、当該盛り皿の全脚部の底面が他の盛り皿の本体の載置部内に収まるように構成してある請求項１記載の盛り皿。
【請求項３】
前記脚部は、前記本体の中心に対して保持部と同心円上の領域とは異なる領域に設けてある請求項１又は２記載の盛り皿。
【請求項４】
下駄歯状の２本の脚部が設けてある請求項１から３のいずれかに記載の盛り皿。
【請求項５】
前記脚部の底面に適宜の弾性を有する材料で形成した片材が固着してある請求項１から４のいずれかに記載の盛り皿。
【請求項６】
前記保持部の深さ寸法は、前記串の長さの１／６以上１／５以下になしてある請求項１から５のいずれかに記載の盛り皿。
【請求項７】
前記保持部の深さ寸法は２．５ｃｍ以上３ｃｍ以下になしてある請求項１から５のいずれかに記載の盛り皿。
【考案の詳細な説明】
【技術分野】
【０００１】
本考案は、主に食材を串に刺してなる串ものを載置するための盛り皿に関する。
【背景技術】
【０００２】
焼き鳥というように肉及び／又は野菜等の食材が串に刺された、所謂串ものを盛るための盛り皿が提案されている。
【０００３】
そのような盛り皿として後記する特許文献には次のようなものが開示されている。
すなわち、平面視が長方形の本体の中央部に、天地を逆にした屋根形状の凹部が、その稜線を本体の長手方向の中心線上に倣って設けてあり、この凹部を取り囲む長辺側周囲壁の内面及び短辺側周囲壁の内面はそれぞれ、対応する周囲壁の厚さ寸法が上端から下端へ向かうに連れて漸次大きくなるテーパ状になしてある。また、短辺側周囲壁の上縁の適宜位置には、Ｖ字状の切欠きが設けてある。
【０００４】
このような盛り皿にあっては、串ものを構成する串の先端を凹部の稜線上に位置させ、また前記串の端部側を切欠き内へ嵌入させることによって、当該串ものに付されたたれを直接凹部内へ、又は周囲壁を介して凹部内へ集めることができる。また、前記串の切欠きから突出した部分を把持し、その状態で串を引くことによって、当該串に刺された食材を短辺側周囲壁に当接させることによって串から外し、外した当該食材を短辺側周囲壁を介して凹部内へ集める。これによって、利用者は、串から外した食材を、凹部内へ集めたたれに付けながら食することができる。
【０００５】
一方、食材を外した後の串は、当該盛り皿の適宜な領域に載置するか、又は、予め準備されたカップ等の串入れに投入していた。
【先行技術文献】
【特許文献】
【０００６】
【特許文献１】特開２００７−７５５６０号公報
【考案の概要】
【考案が解決しようとする課題】
【０００７】
しかしながら、食材を外した串を盛り皿の適宜な領域に載置する場合、次の串ものを盛る際に当該串が邪魔になっていた。一方、前述した如く串入れにあっては、多くの場合、複数人が共同して使用するように配置されているが、これを望まない利用者も比較的多く、従来の盛り皿ではそのような利用者の要求に応えることができない。
【０００８】
本考案は斯かる事情に鑑みてなされたものであって、次の串ものを盛る際に邪魔になることなく、食材を外した串を保持することができる盛り皿を提供する。
【課題を解決するための手段】
【０００９】
（１）本考案に係る盛り皿は、食材を串に刺してなる串ものを載置するための盛り皿であって、前記串ものを載置する平坦な載置部を有する本体と、前記載置部の表面であって本体の縁側に立設され、そこに投入された串を保持する筒状の保持部と、前記本体の裏面であって、少なくとも保持部に対応する位置とは異なる位置に、前記本体を担持すべく設けられた１又は複数の脚部とを備え、盛り皿が配置される配置面から前記載置部までの高さ寸法は、前記載置部から保持部の上縁までの高さ寸法以上になしてあることを特徴とする。
【００１０】
本考案の盛り皿にあっては、食材を串に刺してなる串ものを載置するための盛り皿であって、前記串ものを載置する平坦な載置部を有する本体を備えている。この本体には、前記載置部の表面であって本体の縁側に筒状の保持部が立設してあり、食材を食した後の串、又は食材が取り外された串は保持部内へ投入され、そこに保持されるようになっている。
【００１１】
この保持部は本体の縁側に設けてあるため、本体の他の領域には複数の串ものを載置できる十分なスペースが確保されている。更に、未食の串ものに刺された食材を食した場合であっても、それによって発生する串は保持部に投入保持されるため、次の串ものを盛る際に当該串が邪魔になることなく保持することができる。
【００１２】
一方、本体の裏面であって、少なくとも保持部に対応する位置とは異なる位置に、１又は複数の脚部が設けてある。盛り皿が配置される配置面から本体の載置部までの高さ寸法は、該載置部から保持部の上縁までの高さ寸法以上になしてあり、これによって、当該盛り皿を他の盛り皿上に重畳させた場合、当該盛り皿の脚部によって当該盛り皿の本体はその載置部が他の盛り皿に設けられた保持部の上縁以上の高さ位置に担持されるため、複数の盛り皿を収納すべく、それらを重畳させた場合であっても、上側の盛り皿の脚部が下側の盛り皿の保持部に当接し、また、上側の盛り皿の本体が下側の盛り皿の保持部に当接することがいずれも防止され、それらにひび及び／又は損傷が生じることを回避することができる。
【００１３】
一方、保持部及び脚部は本体と一体的に構成されているため、複数の盛り皿を収納すべくそれらを互いに重畳させる際、上側の盛り皿と下側の盛り皿との間に、何らかの他の部品を介装させるといった他の作業を行う必要がなく、収納作業を効率的に行うことができる。
【００１４】
（２）本考案に係る盛り皿は、当該盛り皿を他の盛り皿上に重畳させたときに、当該盛り皿の全脚部の底面が他の盛り皿の本体の載置部内に収まるように構成してあることを特徴とする。
【００１５】
本考案の盛り皿にあっては、当該盛り皿を他の盛り皿上に重畳させたときに、当該盛り皿の全脚部の底面が他の盛り皿の本体の載置部内に収まるように構成してある。ここで、本体の載置部は平坦になしてあるため、複数の盛り皿を収納すべく、それらを重畳させる場合であっても、それら各盛り皿を鉛直方向へ安定的に積み重ねることができる。
【００１６】
（３）本考案に係る盛り皿は、前記脚部は、前記本体の中心に対して保持部と同心円上の領域とは異なる領域に設けてあることを特徴とする。
【００１７】
本考案の盛り皿にあっては、前述した脚部は、本体の中心に対して保持部と同心円上の領域とは異なる領域に設けてある。複数枚の盛り皿を収納すべく互いに重畳させる場合、
下側の盛り皿に対して上側の盛り皿の向きをいかようにしても、上側の盛り皿の脚部が下側の盛り皿の保持部に当接しない。従って、盛り皿の向きを考慮することなく収納作業を実施することができ、収納作業を効率的に行うことができる。
【００１８】
（４）本考案に係る盛り皿は、下駄歯状の２本の脚部が設けてあることを特徴とする。
【００１９】
本考案の盛り皿にあっては、下駄歯状の２本の脚部が設けてあるため、使用者の手指等が盛り皿の本体に接触した場合であっても、当該盛り皿が容易に転倒することを回避することができる。
【００２０】
（５）本考案に係る盛り皿は、前記脚部の底面に適宜の弾性を有する材料で形成した片材が固着してあることを特徴とする。
【００２１】
本考案の盛り皿にあっては、前述した脚部の底面に適宜の弾性を有する材料で形成した片材が固着してある。片材としては樹脂材又は木材等、適宜の弾性を有する材料を用いることができる。この場合、複数の盛り皿を互いに重畳させる際に、上側の盛り皿の脚部によって下側の盛り皿の本体表面が疵付くことを防止することができる。また、そのような材料の片材にあっては本体に比べて摩擦係数が高いため、複数の盛り皿を互いに重畳させる際に、下側の盛り皿上で上側の盛り皿が摺動することが防止され、下側の盛り皿上から上側の盛り皿が落下することを回避することができる。
【００２２】
（６）本考案に係る盛り皿は、前記保持部の深さ寸法は、前記串の長さの１／６以上１／５以下になしてあることを特徴とする。
【００２３】
本考案の盛り皿にあっては、本体に設けた保持部の深さ寸法は、串の長さの１／６以上１／５以下になしてある。保持部の深さがそこに投入する串の長さの１／６未満である場合、保持部に投入された串を起立状態に保持することが困難であり、投入した串が保持部から抜け出てしまう虞がある。一方、保持部の深さがそこに投入する串の長さの１／５を超える場合、一定のスペースに収納し得る盛り皿の数が少なくなってしまう。本考案の盛り皿では、保持部の深さ寸法は、串の長さの１／６以上１／５以下になしてあるため、投入された串を起立した状態に保持することができ、また、一定のスペースに収納し得る盛り皿の数を可及的に多くすることができる。
【００２４】
（７）本考案に係る盛り皿は、前記保持部の深さ寸法は２．５ｃｍ以上３ｃｍ以下になしてあることを特徴とする。
【００２５】
本考案の盛り皿にあっては、本体に設けた保持部の深さ寸法は２．５ｃｍ以上３ｃｍ以下になしてある。保持部の深さ寸法が２．５ｃｍ未満である場合、保持部に投入された串を起立状態に保持することが困難であり、投入した串が保持部から抜け出てしまう虞がある。一方、保持部の深さ寸法が３ｃｍを超える場合、一定のスペースに収納し得る盛り皿の数が少なくなってしまう。本考案の盛り皿では、保持部の深さ寸法は２．５ｃｍ以上３ｃｍ以下になしてあるため、投入された串を起立した状態に保持することができ、また、一定のスペースに収納し得る盛り皿の数を可及的に多くすることができる。
【図面の簡単な説明】
【００２６】
【図１】本考案に係る盛り皿を示す斜視図である。
【図２】図１に示した盛り皿の平面図である。
【図３】図１に示した盛り皿の正面図である。
【図４】図３に示した盛り皿の縦断面図である。
【図５】本考案に係る盛り皿の使用例を説明する説明図である。
【図６】本考案に係る盛り皿の収納方法を説明する説明図である。
【図７】本考案に係る盛り皿の収納方法を説明する説明図である。
【考案を実施するための形態】
【００２７】
本考案に係る盛り皿を図面に基づいて詳述する。
なお、本実施の形態で説明する盛り皿は、本考案の趣旨を説明する一例であり、本考案はその趣旨を逸脱しない範囲での変形や改造を含むことはいうまでもない。
【００２８】
図１は本考案に係る盛り皿を示す斜視図である。また、図２及び図３は、図１に示した盛り皿の平面図及び正面図であり、図４は図３に示した盛り皿の縦断面図である。これらの図中、対応する部分には同じ番号が付してある。
【００２９】
図１〜図４に示した如く、盛り皿１は、陶磁器又は樹脂といった適宜材料を用い、平面視が長円状に成形してなる本体１０を具備している。本体１０の外周縁を含む適宜の領域は、底部に向かうに連れてその内径が漸次小さくなるテーパ状のリム部１２になしてあり、本体１０の該リム部１２で囲繞され、串ものを載置する載置部１１は略平坦である。
【００３０】
本体１０の載置部１１であって長円の一極側には、短寸筒状の保持部２０が立設してある。この保持部２０には後述する如く食材を外した串が投入されるようになっており、保持部２０は投入された複数の串を斜め姿勢の起立状態に保持する。
【００３１】
一方、本体１０の裏面であって、前記保持部２０に対応する位置とは異なる位置には、１又は複数の（本形態にあっては２つ）下駄歯状の脚部３０，３０が設けてある。脚部３０，３０は、後述するように当該盛り皿１を他の盛り皿１上に重畳させた際に（図６及び図７参照）、当該盛り皿１の両脚部３０，３０の底面が他の盛り皿１の載置部１１内に収まるようになしてある。
【００３２】
盛り皿１が配置される配置面から前記載置部１１までの高さ寸法は、前記載置部１１から保持部２０の上縁までの高さ寸法以上になしてある。従って、盛り皿１はその両脚部３０，３０によって本体１０が、前記配置面に対して、前記載置部１１から保持部２０の上縁までの寸法以上の高さ位置に担持される。
【００３３】
ここで、脚部３０は種々の形状になすことができる。例えば、環状、或いは中実又は中空の柱状の脚部にした場合、１つの脚部であっても前記本体１０を安定に担持することができる。かかる脚部にあっては高台を脚部になしてもよい。一方で、本形態に示したような下駄歯状の脚部３０にした場合、当該脚部３０は少なくとも２つ設ける必要があるが、そのような盛り皿１にあっては、使用者の手指等が本体１０に接触した場合であっても、当該盛り皿１が容易に転倒することを回避することができる。なお、環状又は柱状の複数の脚部を設けてもよいことは言うまでもない。
【００３４】
また、脚部３０，３０は、少なくとも本体１０の裏面であって保持部２０に対応する位置とは異なる位置に設けてあるが、より好ましくは図１から図４に示した如く、本体１０の中心に対して保持部２０と同心円上の領域と異なる領域に設けるとよい。これによって、当該盛り皿１を他の盛り皿１上に重畳させる場合（図６及び図７参照）、当該盛り皿１の向きがいずれであっても、当該盛り皿１の脚部３０，３０が他の盛り皿１の保持部２０に接触することが防止され、脚部３０，３０又は保持部２０に破損等が生じることが回避される。
【００３５】
一方、筒状の保持部２０も、平面視が円状、多角形状又は不定形状等、種々の形状になすことができる。また、保持部２０の深さは、投入された串を起立状態に保持し得る寸法であればよいが、一定のスペースにより多くを収納するため、複数の盛り皿１，１，…を互いに重畳させるべく、可及的に浅い寸法が好ましい。つまり、保持部２０の深さは、そこに投入する串の長さの１／６以上１／５以下の寸法が好ましい。保持部２０の深さがそこに投入する串の長さの１／６未満である場合、保持部２０に投入された串を起立状態に保持することが困難であり、投入した串が保持部２０から抜け出てしまう虞がある。また、保持部２０の深さがそこに投入する串の長さの１／５を超える場合、一定のスペースに収納し得る盛り皿１，１，…の数が少なくなってしまう。
【００３６】
なお、串としては、１５ｃｍの長さ寸法のものが多く用いられているので、かかる串に適用するには、保持部２０の深さを２．５ｃｍ以上３ｃｍ以下になす。この場合、前述した脚部３０，３０の高さ寸法は、保持部２０の深さと同じ寸法か、或いは保持部２０の深さより１ｍｍ程度〜３ｍｍ程度大きい値に設定する。
【００３７】
ところで、本形態で説明した保持部２０及び脚部３０は、いずれも本体１０と一体的に形成してあるが、いずれか一方又は両者を本体１０とは別体として形成しておき、その後、貼着等にて本体１０に固定させてもよい。このとき、別体として形成した保持部及び／又は脚部はその材料を本体１０の材料とは異ならせてもよい。
【００３８】
また、脚部３０，３０の底面に樹脂材又は木材等、適宜の弾性を有する材料で形成した片材を固着しておくこともできる。この場合、複数の盛り皿１，１，…を互いに重畳させる際に、上側の盛り皿１の脚部３０，３０によって下側の盛り皿１の本体１０表面が疵付くことを防止することができる。また、そのような材料の片材にあっては本体１０に比べて摩擦係数が高いため、複数の盛り皿１，１，…を互いに重畳させる際に、下側の盛り皿１上で上側の盛り皿１が摺動することが防止され、下側の盛り皿１上から上側の盛り皿１が落下することを回避することができる。
【００３９】
図５は本考案に係る盛り皿の使用例を説明する説明図である。なお、図中、図１から４に示した部分に対応する部分には同じ番号を付してその説明を省略する。
【００４０】
図５に示したように、串ものＫ，Ｋは多くの場合、１又は複数（図５にあっては複数）の魚肉片及び／又は野菜片等の食材Ｆ，Ｆ，…を各串Ｓ，Ｓに刺して構成されているが、かかる串ものＫ，Ｋが盛り皿１の載置部１１上に盛られている。図５に示した例にあっては、未食の２本の串ものＫ，Ｋが、盛り皿１の載置部１１上に、各串Ｓ，Ｓの串先を保持部２０側にし、把持部である串元が本体１０であって、保持部２０とは反対側の端から突出するように載置してある。また、食材を食した後の既食の３本の串Ｓ，Ｓ，Ｓが各串先を下にして保持部２０内に投入保持されている。
【００４１】
このように、本考案に係る盛り皿１にあっては、前述した如く本体１０に保持部２０が設けてあるため、食材を食した後の既食の串Ｓ，Ｓ，…を保持部２０に投入保持させることができる。また、この保持部２０は本体１０の一極側に設けてあるため、本体１０の他極側には未食の串ものＫ，Ｋ，…を載置できる十分なスペースが確保されている。更に、未食の串ものＫ，Ｋ，…に刺された食材Ｆ，Ｆ，…を食した場合であっても、それによって発生する既食の串Ｓは保持部２０に投入保持されるため、次の串ものＫを盛る際に当該串Ｓが邪魔になることなく保持することができる。
【００４２】
図６及び図７は、本考案に係る盛り皿の収納方法を説明する説明図である。なお、両図中、図１から４に示した部分に対応する部分には同じ番号を付してその説明を省略する。
【００４３】
前述したように本考案に係る盛り皿１にあっては、食材が外された後の複数の串Ｓ，Ｓ，…（図５参照）を保持する保持部２０が、本体１０の表面に突設してあるものの、本体１０の裏面であって、少なくとも保持部２０に対応する位置とは異なる位置に脚部３０，３０が設けてあり、盛り皿１はその両脚部３０，３０によって本体１０が、それが配置される配置面に対して、載置部１１から保持部２０の上縁までの寸法以上の高さ位置に担持されているため、図６に示したように、２枚の盛り皿１，１を重畳させた場合であっても、上側の盛り皿１の脚部３０，３０が下側の盛り皿１の保持部２０に当接し、また、上側の盛り皿１の本体１０が下側の盛り皿１の保持部２０に当接することがいずれも防止される。
【００４４】
これによって、複数の盛り皿１，１，…を収納する際に、各盛り皿１の脚部３０，３０、保持部２０又は本体１０に、破損又はひび等が生じることを回避することができる。
【００４５】
このとき、前述したように保持部２０の深さは可及的に浅い寸法になしてあるため、複数の盛り皿１，１，…を重畳させて収納する場合、一定のスペースに可及的に多数を収納することができる。
【００４６】
このとき、前述した如く上側の盛り皿１の脚部３０，３０の底面が下側の盛り皿１の平坦な載置部１１内に収まるようになしてあるため、図６に示したように、上側の盛り皿１の本体１０は下側の盛り皿１の本体１０と平行な姿勢に保たれている。
【００４７】
これによって、３枚以上の盛り皿１，１，…を互いに重畳させる場合であっても、鉛直方向へ安定的に積み重ねることができる。
【００４８】
更に、本考案では、前述した両脚部３０，３０は、本体１の中心に対して保持部２０と同心円上の領域とは異なる領域に設けてあるため、図７に示した如く、下側の盛り皿１に対して上側の盛り皿１の向きを、図６に示した上側の盛り皿１の向きとは逆になした場合であっても、上側の盛り皿１の脚部３０，３０が下側の盛り皿１の保持部２０に当接しない。
【００４９】
これによって、複数枚の盛り皿１，１，…を収納すべく互いに重畳させる場合、当該盛り皿１の向きを考慮することなく収納作業を実施することができ、収納作業を効率的に行うことができる。
【００５０】
一方、保持部２０及び脚部３０，３０は本体１０と一体的に構成されているため、複数の盛り皿１，１，…を収納すべくそれらを互いに重畳させる際、上側の盛り皿１と下側の盛り皿１との間に、何らかの他の部品を介装させるといった他の作業を行う必要がなく、収納作業を効率的に行うことができる。
【００５１】
なお、本第１の形態ではテーパ状のリム部１２を設けた盛り皿１について説明したが、本考案はこれに限らず、テーパ状のリム部１２を設けることなく、口縁としてもよいことは言うまでもない。また、本体１０の形状は長円状に限らず、円形状、多角形状又は不定形状等、種々の形状であってもよい。
【符号の説明】
【００５２】
１    盛り皿
１０    本体
１１    載置部
１２    リム部
２０    保持部
３０    脚部
Ｋ    串もの
Ｓ    串
Ｆ    食材
【図１】
0003234866.tif 000003
【図２】
0003234866.tif 000004
【図３】
0003234866.tif 000005
【図４】
0003234866.tif 000006
【図５】
0003234866.tif 000007
【図６】
0003234866.tif 000008
【図７】
0003234866.tif 000009